(57)【特許請求の範囲】
【請求項１】
寝袋として使用されるときには、
人体に対して一番外側に配置され、水分を透過させないまたは吸収しない、人体の正面または背面の面積より大きい防水シートと、
この防水シートと上記人体との間に配置される保温性または通気性のある、当該防水シートのほぼ全面にわたって積層された保温通気シートと、
上記人体に対して、上記防水シートの内側に取り付けられた複数の吊り下げバンドと、を備え、
担架として使用されるときには、
上記防水シートを上記人体に接する状態とし、
上記保温通気シートを、上記防水シートに対して人体とは反対側に配置される状態とし、
上記人体に対して、上記防水シートを挟んで、上記吊り下げバンドによって、当該人体を持ち上げ可能とすることを特徴とする寝袋兼担架。
【請求項２】
上記人体の頭部の上記保温通気シートまたは上記防水シートの外面には可撓性のある取っ手が取り付けられており、
当該取っ手の中の幅は上記吊り下げバンドの幅より大きく、当該取っ手の中を上記吊り下げバンドが捻じれ無くまたは折れ曲がり無く挿通されることを特徴とする請求項１記載の寝袋兼担架。
【請求項３】
上記吊り下げバンドは、上記人体の肩付近及び腰付近に取り付けられ、
この吊り下げバンドは、上記頭部の取っ手を捻じれ無くまたは折れ曲がり無く挿通して、上記人体の頭部も持ち上げ可能となることを特徴とする請求項２記載の寝袋兼担架。
【請求項４】
上記防水シートと保温通気シートとの間には、長尺の通し穴が形成され、
この通し穴内を上記吊り下げバンドが挿通されて、吊り下げバンドの両端が防水シート及び保温通気シートから外に露出していることを特徴とする請求項３記載の寝袋兼担架。
【請求項５】
上記吊り下げバンドの両端が防水シート及び保温通気シートから外に露出する位置には、この位置を覆うように上記取っ手が取り付けられていることを特徴とする請求項４記載の寝袋兼担架。
【請求項６】
上記人体の脚部付近の上記保温通気シートまたは上記防水シートの外面には可撓性のある取っ手が取り付けられており、
上記吊り下げバンドは、この脚部の取っ手を捻じれ無くまたは折れ曲がり無く挿通して、上記人体の脚部も持ち上げ可能となることを特徴とする請求項５記載の寝袋兼担架。
【請求項７】
上記人体の肩付近及び腰付近の上記保温通気シートまたは上記防水シートの外面であって、上記吊り下げバンドの長手方向に沿った位置には可撓性のある取っ手が取り付けられており、
上記吊り下げバンドは、この肩部及び腰部の取っ手を挿通して、上記人体の肩部及び腰部を持ち上げ可能となることを特徴とする請求項６記載の寝袋兼担架。
【請求項８】
上記防水シート及び保温通気シートの両端縁にはファスナーが設けられ、この両端縁のファスナーが連結されて閉じられることによって、上記人体を包みこみ、
上記人体の頭部の上に位置する、上記防水シート及び保温通気シートの両端縁にもファスナーが設けられ、この両端縁のファスナーが互いに連結されて閉じられることによって、上記人体の頭部を包み込み、
これらのファスナーが互いに開かれて上記連結が解除されると、上記防水シート及び保温通気シートは凹凸のない平坦な状態になることを特徴とすることを特徴とする請求項７記載の寝袋兼担架。
【発明の詳細な説明】
【技術分野】
【０００１】
本発明は、寝袋兼担架に関し、寝袋に使用でき、介護者又はけが人などを運ぶ担架にも使用できるものに関する。
【背景技術】
【０００２】
このような寝袋は、登山、キャンプ等のアウトドアで就寝するとき等に使用される。また、このような担架は、介護者やけが人に余分な負荷や怪我の悪化を防ぐために安全に運ぶときに使用される。
【０００３】
ところが、このような寝袋と担架とは目的と用途が異なるため、両者の機能を喪失せずに兼用することは難しかった。
【０００４】
【特許文献１】特開２００５−２８８０７７号公報
【特許文献２】実用新案登録第３１１４８２８号公報
【特許文献３】実用新案登録第３１１５２１０号公報
【特許文献４】特開２０００−１２６０１９号公報
【特許文献５】特開２０００−２９６０３５号公報
【発明の開示】
【発明が解決しようとする課題】
【０００５】
本発明は、上述した課題を解決するためになされたものであり、本発明の目的は、寝袋の機能と担架の機能を低減させることなく、十分に機能を発揮させるほか、寝袋と担架との機能を相乗的により大きくできる寝袋兼担架を提供することにある。
【課題を解決するための手段】
【０００６】
このため、本発明は、  寝袋として使用されるときには、  人体に対して一番外側に配置され、水分を透過させないまたは吸収しない、人体の正面または背面の面積より大きい防水シートと、  この防水シートと上記人体との間に配置される保温性または通気性のある、当該防水シートのほぼ全面にわたって積層された保温通気シートと、  上記人体に対して、上記防水シートの内側に取り付けられた複数の吊り下げバンドと、を備え、  担架として使用されるときには、  上記防水シートを上記人体に接する状態とし、  上記保温通気シートを、上記防水シートに対して人体とは反対側に配置される状態とし、  上記人体に対して、上記防水シートを挟んで、上記吊り下げバンドによって、当該人体を持ち上げ可能とした。
【発明の効果】
【０００７】
これにより、寝袋兼担架を担架として、介護者やけが人を運ぶときには、人体に防水シートの側が当接して、汚物や血液等が寝袋兼担架に浸透せず、防水シート上の汚れを容易に除去できる。また、寝袋兼担架を寝袋として、人が寝るときには、保温されたり通気性が良好となったり、快適な睡眠を得ることができる。さらに、吊り下げバンドが防水シートの内側に位置すると、汚れにくい防水シートを外側にして、寝袋兼担架を折り畳むとき、吊り下げバンドを寝袋兼担架内に収納でき、寝袋兼担架の収納で吊り下げバンドが邪魔にならない。
【発明を実施するための最良の形態】
【０００８】
（１）寝袋兼担架１の構造
図１は寝袋兼担架１のファスナー７、８、１０、１１を全て開いて平坦に展開した状態を示す。図２は寝袋兼担架１を担架として使用するときに、体部保温通気シート４及び頭部保温通気シート５を外側にして、ファスナー７、８、１０、１１を閉じて寝袋兼担架１を２つ折りにした片面を示す。図３は寝袋兼担架１を寝袋として使用するときに、体部防水シート２及び頭部防水シート３を外側にして、寝袋兼担架１を裏返してファスナーを閉じて寝袋兼担架１を２つ折りにした片面を示す。これら他方の片面は図２及び図３の状態に対して線対称となる。
【０００９】
図１に示すように、体部防水シート２は展開した状態でほぼ長方形状であり、この長方形の長辺は成人の人体の身長より数十ｃｍ大きく、成人の人体の正面または背面の面積より大きい。この体部防水シート２は、防水加工されて水分を透過させないまたは吸収しないものであり、この結果、水性の汚物や血液等の液体を全て透過または吸収しない。
【００１０】
この長方形状の体部防水シート２の短辺の中央は外方へ膨らんで頭部防水シート３が形成され、この頭部防水シート３はほぼ正方形状となっている。これら頭部防水シート３及び体部防水シート２のほぼ全面にわたって、体部防水シート２及び頭部防水シート３とほぼ同形同大の、保温性または通気性のある体部保温通気シート４及び頭部保温通気シート５が積層されている。この体部保温通気シート４及び頭部保温通気シート５と上記体部防水シート２及び頭部防水シート３とは周縁で縫合され一体不可分になっている。
【００１１】
上記長方形状の体部防水シート２及び体部保温通気シート４の１つの長辺から、上記頭部防水シート３及び頭部保温通気シート５の無い短辺の中央にかけて、周縁に沿って体部ファスナー７が縫合されて設けられる。また、上記長方形状の体部防水シート２及び体部保温通気シート４のもう１つの長辺から、同じく上記頭部防水シート３及び頭部保温通気シート５の無い短辺の中央にかけて、周縁に沿って体部ファスナー８が縫合されて設けられる。
【００１２】
これら体部ファスナー７及び体部ファスナー８とは、互いに連結されたり分離されたりでき、これにより、図２及び図３に示すように、寝袋兼担架１が閉じられて内に人体を包み込む。この体部ファスナー７及び８が互いに開かれて上記連結が解除されると、体部防水シート２及び体部保温通気シート４が図１に示すように、開かれて凹凸の無い平坦な状態になる。
【００１３】
上記ほぼ正方形状の頭部防水シート３及び頭部保温通気シート５の頭頂部の一辺の半分には、周縁に沿って頭部ファスナー１０が縫合されて設けられる。また、この頭頂部の一辺の残りの半分には、やはり周縁に沿って頭部ファスナー１１が縫合されて設けられる。
【００１４】
これら頭部ファスナー１０及び頭部ファスナー１１とは、互いに連結されたり分離されたりでき、これにより、図２及び図３に示すように、寝袋兼担架１が閉じられて内に人体の頭部を包み込む。この頭部ファスナー１０及び１１が互いに開かれて上記連結が解除されると、頭部防水シート３及び頭部保温通気シート５が図１に示すように、開かれて凹凸の無い平坦な状態になる。
【００１５】
このように寝袋兼担架１を開いて、凹凸の無い平坦な状態になるので、寝袋兼担架１を掛け布団として人体の上に掛けることができるし、同じく寝袋兼担架１を敷き布団として人体の下に敷くことができる。この場合、通常は、体部保温通気シート４及び頭部保温通気シート５の側が人体に当接する。
【００１６】
しかし、介護者等を運ぶ時、若しくは介護者または障害者の体位の向きを変える時に、介護者の下に寝袋兼担架１を入れるときには、体部防水シート２及び頭部防水シート３の側が人体に当接する。この場合、吊り下げバンド６１、６２、６３、６４、取っ手３１、３２、３３、３４を引いてまたは掴んで、寝袋兼担架１を介護者の下に容易に敷くことができる。
【００１７】
上記体部ファスナー７と体部ファスナー８との間には隙間はなく、また上記頭部ファスナー１０と頭部ファスナー１１との間も隙間はない。これにより、体部ファスナー７と８とを連結して閉じたとき、包まれる人体の脚部には隙間はなく、また頭部ファスナー１０と11とを連結して閉じたとき、包まれる人体の頭部にも隙間はなくなる。むろん、この隙間はあってもよい。
【００１８】
上記正方形状の頭部防水シート３の頭頂部を除いた、正方形状の両側の二辺から、上記長方形状の体部防水シート２及び体部保温通気シート４の短辺にかけては、上記ファスナー７、８、１０、１１は設けられておらず、人体が露出する露出部１３が形成される。この露出部１３からは、上記人体の顔と両腕が露出される。
【００１９】
（２）体部防水シート２、頭部防水シート３、体部保温通気シート４、頭部保温通気シート５の断面構造
図４は、寝袋兼担架１、つまり体部防水シート２、頭部防水シート３、体部保温通気シート４、頭部保温通気シート５の断面構造を示す。
【００２０】
上記体部防水シート２及び頭部防水シート３は、防止加工されて水分を透過させないまたは吸収しないものであり、この結果、水、雨、雪、氷、寒気、直射日光等を透過または吸収させず、さらには水性の汚物や血液等の液体を全て透過または吸収しない。このような体部防水シート２及び頭部防水シート３は、光触媒加工されて汚れが付着しにくくなったり、抗菌加工されて清潔に保たれたりされる。
【００２１】
このような体部防水シート２及び頭部防水シート３は、他に、シャインアップ、バンブー繊維、キチンキトサン繊維、ディスメルなどでもよい。このシャインアップは、ポリエステル繊維とナイロン繊維とからなる複合繊維に金属含有セラミックス系の特殊消臭剤が練り込まれており、二酸化チタンによる光触媒反応により消臭と抗菌効果が発揮される。株式会社信州セラミックスから販売されている布などでも同様のものがある。このようないずれの繊維によるシートの場合でも防水加工が施される。
【００２２】
上記体部保温通気シート４及び頭部保温通気シート５は、三層からなり、吸熱再放射布２１、遠赤外線綿２２、遠赤外線布２３からなっている。吸熱再放射布２１としては、例えば「富士山溶岩シーツ」（おとぎの国http://store。shopping.yahoo.co.jp/otogino/ba0612.html）が用いられる。富士さんの溶岩の粉末が繊維に練り込まれて、溶岩の成分が含まれているまたは付着されている。このような溶岩シーツは、身体から出た熱を吸収し、この吸収した熱を遠赤外線として放射する。
【００２３】
吸熱再放射布２１としては、他の溶岩シーツ、他の溶岩シートでもよいし、熱を吸収しこの吸収した熱を遠赤外線として放射できれば、他のどのような素材でもよいし、再放射される赤外線は、遠赤外線のほか、中遠赤外線、中赤外線を発生する素材でもよい。
【００２４】
上記遠赤外線綿２２及び上記遠赤外線布２３としては、例えば「ロンウェーブ」（株式会社クラレの製品）が用いられる。この「ロンウェーブ」は、アクリル繊維またはその他の繊維に超微粒子セラミックスが内蔵され／練り込まれている。このセラミックスの働きにより、体温近くの摂氏４０度前後において、遠赤外線が外部へと放射されて、人体への加温効果が発揮される。摂氏４０度前後において、遠赤外線の発生量が最も多い。
【００２５】
上記「ロンウェーブ」の発する遠赤外線の波長は、５．０μｍ以上にわたってほぼまんべんなく多く、上記ゼオライトの発する遠赤外線の波長は、１．５乃至６．０μｍ付近が非常に多く、「ロンウェーブ」の発する遠赤外線の波長は、８乃至１６μｍ付近が非常に多い。遠赤外線発生布２としては、遠赤外線を発生できれば、他のどのような素材でもよいし、中赤外線、中遠赤外線を発生する素材でもよい。
【００２６】
遠赤外線綿２２及び遠赤外線布２３は同じ繊維素材であるが、遠赤外線布２３は隙間のある布状に織られたり不織布状に形成されたりして、通気性に優れ、遠赤外線綿２２は繊維を互いに絡ませて大量の空気を含ませて綿状にしたり不織状にしたものであり、保温性に優れている。このような遠赤外線綿２２及び遠赤外線布２３としては、ウォーマル、ゼオライト、羊毛ゼオライト、ヤンロン加工布／綿などが選択され、遠赤外線を発生して加温作用／血行促進作用を発揮する。
【００２７】
上記三層の吸熱再放射布２１、遠赤外線綿２２、遠赤外線布２３は、互いにキルティング加工が施されている。これにより、吸熱再放射布２１、遠赤外線綿２２、遠赤外線布２３が互いにずれないように固定される。このキルティング加工は、吸熱再放射布２１、遠赤外線綿２２、遠赤外線布２３の内の任意の二枚にのみ施されてもよいし、体部防水シート２及び頭部防水シート３との間にも施されても良い。これら吸熱再放射布２１、遠赤外線綿２２及び遠赤外線布２３は、体部防水シート２及び頭部防水シート３と、周縁で全て縫合され一体不可分になっている。
【００２８】
（３）取っ手３１…、３２…、３３…、３４…
上記図１、図２及び図３において、上記頭部防水シート３及び頭部保温通気シート５の外面の左右両側の左右対称位置には、上下に細長い帯状の布製の可撓性のある頭部取っ手３１、３１、３１、３１の上下の端部が縫合されて取り付けられている。この縫合は、上記頭部防水シート３及び頭部保温通気シート５を間に挟んで、これら頭部取っ手３１、３１、３１、３１の端同士が縫合される。
【００２９】
これにより、寝袋兼担架１内に人体が収納された状態で、頭部取っ手３１、３１、３１、３１を手で握ったり手を掛けたりして、頭部取っ手３１、３１、３１、３１に大きな力がかかっても、頭部取っ手３１、３１、３１、３１から、頭部防水シート３及び頭部保温通気シート５が剥がれることがない。
【００３０】
同じく、上記体部防水シート２及び体部保温通気シート４の肩付近の外面の左右両側の左右対称位置には、上下に細長い帯状の布製の可撓性のある肩部取っ手３２、３２、３２、３２の上下の端部が縫合されて取り付けられている。この縫合は、上記体部防水シート２及び体部保温通気シート４を間に挟んで、これら肩部取っ手３２、３２、３２、３２の端同士が縫合される。
【００３１】
これにより、寝袋兼担架１内に人体が収納された状態で、肩部取っ手３２、３２、３２、３２を手で握ったり手を掛けたりして、肩部取っ手３２、３２、３２、３２に大きな力がかかっても、肩部取っ手３２、３２、３２、３２から、体部防水シート２及び体部保温通気シート４が剥がれることがない。
【００３２】
また同じく、上記体部防水シート２及び体部保温通気シート４の腰付近の外面の左右両側の左右対称位置には、上下に細長い帯状の布製の可撓性のある腰部取っ手３３、３３、３３、３３の上下の端部が縫合されて取り付けられている。この縫合は、上記体部防水シート２及び体部保温通気シート４を間に挟んで、これら腰部取っ手３３、３３、３３、３３の端同士が縫合される。
【００３３】
これにより、寝袋兼担架１内に人体が収納された状態で、腰部取っ手３３、３３、３３、３３を手で握ったり手を掛けたりして、腰部取っ手３３、３３、３３、３３に大きな力がかかっても、腰部取っ手３３、３３、３３、３３から、体部防水シート２及び体部保温通気シート４が剥がれることがない。
【００３４】
さらに同じく、上記体部防水シート２及び体部保温通気シート４の脚付近の外面の左右両側の左右対称位置には、上下に細長い帯状の布製の可撓性のある脚部取っ手３４、３４、３４、３４の上下の端部が縫合されて取り付けられている。この縫合は、上記体部防水シート２及び体部保温通気シート４を間に挟んで、これら脚部取っ手３４、３４、３４、３４の端同士が縫合される。
【００３５】
これにより、寝袋兼担架１内に人体が収納された状態で、脚部取っ手３４、３４、３４、３４を手で握ったり手を掛けたりして、脚部取っ手３４、３４、３４、３４に大きな力がかかっても、脚部取っ手３４、３４、３４、３４から、体部防水シート２及び体部保温通気シート４が剥がれることがない。
【００３６】
以上のように、多くの取っ手３１…、３２…、３３…、３４…があることによって、寝袋兼担架１を担架として使用するときに、人体の下に寝袋兼担架１をくぐらせるとき、寝袋兼担架１に収納された人体を持ち上げるときに、寝袋兼担架１を引き出したり引き上げたり持ち上げたりするのに便利かつ容易となる。
【００３７】
（４）取っ手３１、３２、３３、３４及び吊り下げバンド６１、６２、６３、６４
上記頭部防水シート３側の頭部取っ手３１、３１から、上記頭部保温通気シート５側の頭部取っ手３１、３１にかけて、頭部防水シート３及び頭部保温通気シート５には、頭部スリット４１、４１が形成されており、この頭部スリット４１、４１は、頭部防水シート３から頭部保温通気シート５まで貫通しており、この頭部スリット４１、４１の周縁は縫合されている。この頭部スリット４１、４１は、上記頭部取っ手３１、３１、３１、３１によって覆い隠される位置に設けられ、頭部取っ手３１、３１、３１、３１によって隙間風が防止される。
【００３８】
同じく、上記体部防水シート２側の肩部取っ手３２、３２から、上記体部保温通気シート４側の肩部取っ手３２、３２にかけて、体部防水シート２及び体部保温通気シート４には、肩部スリット４２、４２が形成されており、この肩部スリット４２、４２は、体部防水シート２から体部保温通気シート４まで貫通しており、この肩部スリット４２、４２の周縁は縫合されている。この肩部スリット４２、４２は、上記肩部取っ手３２、３２、３２、３２によって覆い隠される位置に設けられ、肩部取っ手３２、３２、３２、３２によって隙間風が防止される。
【００３９】
また同じく、上記体部防水シート２側の腰部取っ手３３、３３から、上記体部保温通気シート４側の腰部取っ手３３、３３にかけて、体部防水シート２及び体部保温通気シート４には、腰部スリット４３、４３が形成されており、この腰部スリット４３、４３は、体部防水シート２から体部保温通気シート４まで貫通しており、この腰部スリット４３、４３の周縁は縫合されている。この腰部スリット４３、４３は、上記腰部取っ手３３、３３、３３、３３によって覆い隠される位置に設けられ、腰部取っ手３３、３３、３３、３３によって隙間風が防止される。
【００４０】
さらに同じく、上記体部防水シート２側の脚部取っ手３４、３４から、上記体部保温通気シート４側の脚部取っ手３４、３４にかけて、体部防水シート２及び体部保温通気シート４には、脚部スリット４４、４４が形成されており、この脚部スリット４４、４４は、体部防水シート２から体部保温通気シート４まで貫通しており、この脚部スリット４４、４４の周縁は縫合されている。この脚部スリット４４、４４は、上記脚部取っ手３４、３４、３４、３４によって覆い隠される位置に設けられ、脚部取っ手３４、３４、３４、３４によって隙間風が防止される。
【００４１】
上記右の頭部スリット４１から左の頭部スリット４１へかけて、頭部防水シート３及び頭部保温通気シート５の間には、空洞が形成され、細長い長尺の頭部通し穴５１が形成されている。また、上記右の肩部スリット４２から左の肩部スリット４２へかけて、体部防水シート２及び体部保温通気シート４の間には、空洞が形成され、細長い長尺の肩部通し穴５２が形成されている。
【００４２】
さらに、上記右の腰部スリット４３から左の腰部スリット４３へかけて、体部防水シート２及び体部保温通気シート４の間には、空洞が形成され、細長い長尺の腰部通し穴５３が形成されている。また、上記右の脚部スリット４４から左の脚部スリット４４へかけて、体部防水シート２及び体部保温通気シート４の間には、空洞が形成され、細長い長尺の脚部通し穴５４が形成されている。
【００４３】
上記頭部通し穴５１内には、頭部吊り下げバンド６１が挿通され、上記肩部通し穴５２内には、肩部吊り下げバンド６２が挿通され、上記腰部通し穴５３内には、腰部吊り下げバンド６３が挿通され、上記脚部通し穴５４内には、脚部吊り下げバンド６４が挿通される。
【００４４】
したがって、寝袋兼担架１の頭部付近には、頭部吊り下げバンド６１が取り付けられ、肩部付近には、肩部吊り下げバンド６２が取り付けられ、腰部付近には、腰部吊り下げバンド６３が取り付けられ、脚部付近には、脚部吊り下げバンド６４が取り付けられる。これにより、それぞれ頭部、肩部、腰部、脚部が、これらの吊り下げバンド６１、６２、６３、６４によって持ち上げられ、この結果、首、背中、臀部、腕、大腿部、下腿部、下肢、上肢等も持ち上げられる。
【００４５】
上記取っ手３１、３２、３３、３４の中の手が入る個所の幅は、上記吊り下げバンド６１、６２、６３、６４の幅より大きく、通し穴５１、５２、５３、５４及び吊り下げバンド６１、６２、６３、６４の長手方向に沿った方向・位置、またはこれらの延長上には、上記取っ手３１、３２、３３、３４が設けられ、この取っ手３１、３２、３３、３４内を、吊り下げバンド６１、６２、６３、６４が挿通するので、吊り下げバンド６１、６２、６３、６４は、捻じれ無くまたは折れ曲がり無く挿通される。
【００４６】
上記各スリット４１、４１、４２、４２、４３、４３、４４、４４からは、上記頭部吊り下げバンド６１、肩部吊り下げバンド６２、腰部吊り下げバンド６３、脚部吊り下げバンド６４の両端が長く外に露出かつ飛び出しており、これら吊り下げバンド６１、６２、６３、６４の両端には、それぞれ雄ホック６６…と雌ホック６７…とが取り付けられている。
【００４７】
これら雄ホック６６…と雌ホック６７…とは互いに係合連結され、各吊り下げバンド６１、６２、６３、６４が環状に構成され、運搬者の肩、腕、背中、腰または脚に掛けて運搬できる。これら雄ホック６６…と雌ホック６７…とは、同形同大であるので、同じ吊り下げバンド６１、６２、６３、６４どうしではなく、異なる吊り下げバンド６１、６２、６３、６４の間でも、係合連結できる。
【００４８】
したがって、吊り下げバンド６１、６２、６３、６４の各端を、任意の組み合わせで互いにクロスさせて繋いだり、例えば肩部吊り下げバンド６２と腰部吊り下げバンド６３とをクロスさせて繋いだり、また頭部吊り下げバンド６１と肩部吊り下げバンド６２とをクロスさせて繋いだり、腰部吊り下げバンド６３と脚部吊り下げバンド６４とをクロスさせて繋いだりできる。
【００４９】
また全ての吊り下げバンド６１、６２、６３、６４の各端を、任意の組み合わせで一本に繋げたりできる。このようにして、運搬者に種々の形態で掛けて、最適な持ち上げ状態及び運搬状態を選択できる。このような、吊り下げバンド６１、６２、６３、６４の途中には、長さを調節する調整器具（図示せず）が取り付けられている。
【００５０】
上記のように、肩部吊り下げバンド６２と腰部吊り下げバンド６３とをクロスさせれば、このクロス部分を運搬者の背中にたすきがけのようにして係止し、寝袋兼担架１内の介護者等を、一人の運搬者でかかえて運ぶことができる。この場合、頭部吊り下げバンド６１と脚部吊り下げバンド６４は、頭部通し穴５１、脚部通し穴５４から引き抜いて、省略できる。
【００５１】
上記左右一対のスリット４１、４１、４２、４２、４３、４３、４４、４４から左右に外に出た、上記吊り下げバンド６１、６２、６３、６４の両端の手前には、左右一対の子バンド７１、７１、７２、７２、７３、７３、７４、７４の根元が縫合されており、これら左右一対の子バンドの一方の対の子バンド７１、７２、７３、７４の先端には、子雄ホック（図示せず）が取り付けれ、他方の対の子バンド７１、７２、７３、７４の先端には、子雌ホック（図示せず）が取り付けられている。
【００５２】
これら、子雄ホックと子雌ホックとを連結係合することによって、左右の吊り下げバンド６１、６２、６３、６４を互いに接近させて、寝袋兼担架１及び吊り下げバンド６１、６２、６３、６４をふらつかないように安定させることができる。また、体部ファスナー７の前で寝袋兼担架１を緊縮して、寝袋兼担架１内の人体が寝袋兼担架１内で移動しないように、寝袋兼担架１に対して人体を安定させることができる。
【００５３】
上記顔等が露出する露出部１３の周縁に沿って、頭頂部から左右の両あご付近にわたって、緊縮ひも７６が内蔵され、この緊縮ひも７６の一端は頭頂部付近で固定され、他端は両あご付近で外に引き出され、この緊縮紐を引くと、露出部１３が閉じられ、寒気を防ぐことができる。
【００５４】
図３に示すように、体部防水シート２の片面の脚付近の端には、体部防水シート２と同じ防水加工されたほぼ方形状の布の周縁が体部防水シート２に縫合されて、この方形の一辺のみ縫合されないで開口部となって、ポケット収納部７７が形成されている。このポケット収納部７７の外面の上記開口部付近の中央には、手提げ紐７８の両端が縫合されている。
【００５５】
また、体部防水シート２の反対側の面の、手提げ紐７８と左右対称な位置にも、もう一つの手提げ紐７８の両端が縫合されている。寝袋兼担架１を頭部付近から折り畳んでいき、これを上記ポケット収納部７７内に収納できるし、コンパクトにできるし、上記手提げ紐７８、７８で、片手に持って容易に運搬できる。
【００５６】
このとき、吊り下げバンド６１、６２、６３、６４は、すべて、折り畳んだ寝袋兼担架１の内側に収納でき、折り畳んだとき及び収納したとき、吊り下げバンド６１、６２、６３、６４が邪魔にならない。
【００５７】
（５）吊り下げバンド６１、６２、６３、６４、スリット４１、４２、４３、４４及び通し穴５１、５２、５３、５４
図５は、スリット４１、４２、４３、４４及び通し穴５１、５２、５３、５４に対する吊り下げバンド６１、６２、６３、６４の挿通状態及び入れ替え状態を示す。図５は、図２と同様に頭部保温通気シート５（体部保温通気シート４）が外側になっている、寝袋兼担架１を担架として使用するときの状態を示す。また、図５は、スリット４１、４２、４３、４４付近の部分拡大図を示す。
【００５８】
頭部防水シート３（体部防水シート２）と頭部保温通気シート５（体部保温通気シート４）との間の、通し穴５１、５２、５３、５４内を通った吊り下げバンド６１、６２、６３、６４は、取っ手３１、３２、３３、３４で覆われたスリット４１、４２、４３、４４から、頭部保温通気シート５（体部保温通気シート４）の外側に出ていく。
【００５９】
この場合、上記頭部防水シート３（体部防水シート２）が上記人体に接する状態となり、上記頭部保温通気シート５
（体部保温通気シート４）が上記頭部防水シート３（体部防水シート２）に対して人体とは反対側に配置される状態となり、頭部保温通気シート５（体部保温通気シート４）が頭部防水シート３（体部保温通気シート４）によって人体から遮へいされる。
【００６０】
したがって、けが人の血液等や、介護者・障害者の汚物・排泄物等があっても、寝袋兼担架１に浸透せず、付着しても容易に落とすことができ、汚れにくい。そして、頭部防水シート３（体部防水シート２）を挟んで、吊り下げバンド６１、６２、６３、６４によって、人体を持ち上げて運搬できる。
【００６１】
また、吊り下げバンド６１、６２、６３、６４と、人体との間には、頭部防水シート３（体部防水シート２）が存在し、人体に対して、頭部防水シート３（体部防水シート２）の外に、吊り下げバンド６１、６２、６３、６４が位置するので、吊り下げバンド６１、６２、６３、６４の人体への当接圧力が緩和される。
【００６２】
なお、この担架としての使用の場合、吊り下げバンド６１、６２、６３、６４を通し穴５１、５２、５３、５４から引き出して、頭部防水シート３（体部防水シート２）の外側の、図５の「Ａ」の位置に配置することもできる。この場合でも同様に運搬が可能であり、この場合でも吊り下げバンド６１、６２、６３、６４は取っ手３１、３２、３３、３４を挿通するので、吊り下げバンド６１、６２、６３、６４の位置がずれてしまうことがない。
【００６３】
また、人体に対して、頭部防水シート３（体部防水シート２）及び頭部保温通気シート５（体部保温通気シート４）の外に、吊り下げバンド６１、６２、６３、６４が位置するので、吊り下げバンド６１、６２、６３、６４の人体への当接圧力が緩和される。
【００６４】
寝袋兼担架１を寝袋として使用するには、体部ファスナー７、８及び頭部ファスナー１０、１１を開けて、寝袋兼担架１を裏返して、頭部防水シート３（体部保温通気シート４）を外側にして、人体を包み込んで、体部ファスナー７、８及び頭部ファスナー１０、１１を閉じる。そうすると、図３に示す状態となる。
【００６５】
ここで、吊り下げバンド６１、６２、６３、６４の配置を変えないこともできるが、以下のようにすることもできる。すなわち、吊り下げバンド６１、６２、６３、６４の両端を、スリット４１、４２、４３、４４をくぐって通し、反対側に引き出す。そうすると、頭部防水シート３（体部防水シート２）と頭部保温通気シート５（体部保温通気シート４）との間の、通し穴５１、５２、５３、５４内を通った吊り下げバンド６１、６２、６３、６４は、取っ手３１、３２、３３、３４で覆われたスリット４１、４２、４３、４４から、頭部防水シート３（体部保温通気シート４）の外側に出ていき、図５の「Ｂ」の状態となる。
【００６６】
この場合、頭部保温通気シート５（体部保温通気シート４）が上記人体に接する状態となり、人体と頭部防水シート３（体部防水シート２）との間に配置される。したがって、頭部保温通気シート５（体部保温通気シート４）によって自体が保温または通気され、快適な睡眠を得ることができる。
【００６７】
また、吊り下げバンド６１、６２、６３、６４が、人体に対して、頭部保温通気シート５（体部保温通気シート４）の外側に位置して取り付けられた状態になる、言いかえると、吊り下げバンド６１、６２、６３、６４と、人体との間には、頭部保温通気シート５（体部保温通気シート４）が存在するので、吊り下げバンド６１、６２、６３、６４の人体への当接圧力が緩和される。
【００６８】
さらに、頭部防水シート３（体部防水シート２）が一番外側に位置する状態となり、また上記頭部防水シート３（体部防水シート２）が頭部保温通気シート５（体部保温通気シート４）に対して人体とは反対側に配置される状態となり、さらに頭部防水シート３（体部防水シート２）が頭部保温通気シート５（体部保温通気シート４）によって人体から遮へいされる。したがって、この頭部防水シート３（体部防水シート２）によって、寝袋兼担架１の外の水、雨、雪、氷、寒気、直射日光等の浸透を防ぐことができる。
【００６９】
なお、この寝袋としての使用の場合、吊り下げバンド６１、６２、６３、６４を通し穴５１、５２、５３、５４から引き出して、頭部防水シート３（体部防水シート２）の外側の、図５の「Ｃ」の位置に配置することもできる。この場合でも同様に寝袋としての使用が可能であり、この場合でも吊り下げバンド６１、６２、６３、６４は取っ手３１、３２、３３、３４を挿通するので、吊り下げバンド６１、６２、６３、６４の位置がずれてしまうことがない。
【００７０】
また、人体に対して、頭部保温通気シート５（体部保温通気シート４）及び頭部防水シート３（体部防水シート２）の外に、吊り下げバンド６１、６２、６３、６４が位置するので、吊り下げバンド６１、６２、６３、６４の人体への当接圧力が緩和される。
【００７１】
むろん、寝袋として使用する時は、吊り下げバンド６１、６２、６３、６４を通し穴５１、５２、５３、５４から全て引き出して、吊り下げバンド６１、６２、６３、６４を全く使用しないこともできる。このとき、頭部吊り下げバンド６１のみ、または脚部吊り下げバンド６４のみ、等一部の吊り下げバンド６１、６２、６３、６４のみを引き出すこともできる。
【００７２】
また、雪や雪山の中、雨の中、氷上などで、けが人、遭難者、その他の歩行困難者を運ぶときは、この寝袋の状態で、吊り下げバンド６１、６２、６３、６４を装着したまま運ぶ。このように、吊り下げバンド６１、６２、６３、６４及び取っ手３１、３２、３３、３４を使って、このようなけが人等を、雪、雨、コリ、水、寒気、直射日光から守って運ぶことができる。以上のように、寝袋兼担架１の使用状況に応じて、寝袋兼担架１の裏表を使い分け、吊り下げバンド６１、６２、６３、６４を最適な状態で使用できる。
【００７３】
上記のように、各吊り下げバンド６１、６２、６３、６４は、各通し穴５１、５２、５３、５４を挿通しているので、不要な場合には、吊り下げバンド６１、６２、６３、６４の１つ、一部または全部を、通し穴５１、５２、５３、５４から引き出すことができる。したがって、寝袋兼担架１を寝袋、掛け布団、敷き布団などとして使うときなど、吊り下げバンド６１、６２、６３、６４が不要のときには、吊り下げバンド６１、６２、６３、６４を通し穴５１、５２、５３、５４から引き出して、吊り下げバンド６１、６２、６３、６４を寝袋兼担架１から分離して取り外して使うことができる。
【００７４】
また、吊り下げバンド６１、６２、６３、６４を取り外さなくても、吊り下げバンド６１、６２、６３、６４を引いて通し穴５１、５２、５３、５４内をスライドさせて、雄ホック６６…と雌ホック６７…が邪魔にならない位置まで雄ホック６６…と雌ホック６７…を移動させることができる。
【００７５】
（６）他の実施の形態
本発明は上記各実施例に限定されず、本発明の趣旨を逸脱しない範囲で種々変更可能である。例えば、頭部取っ手３１、３１、３１、３１、肩部取っ手３２、３２、３２、３２、腰部取っ手３３、３３、３３、３３、脚部取っ手３４、３４、３４、３４のそれぞれの内、いずれか１つ、２つまたは３つ省略されてもよい。
【００７６】
この場合、これらの取っ手３１…、３２…、３３…、３４…のうち、体部防水シート２及び頭部防水シート３側のみが省略されたり、体部保温通気シート４及び頭部保温通気シート５側のみが省略されたり、４つの頭部取っ手３１…のみが省略されたり、４つの肩部取っ手３２…のみが省略されたり、４つの腰部取っ手３３…のみが省略されたり、４つの脚部取っ手３４…のみが省略されたりしてもよい。
【００７７】
このような各取っ手３１…、３２…、３３…、３４…のそれぞれの数は、もっと多くても良く、この場合、各取っ手３１…、３２…、３３…、３４…は、寝袋兼担架１に収納される人体の左右両側の位置ほか、背骨にそった背面中心線に沿った位置等、これらの位置の中間、寝袋兼担架１の外縁付近の位置等に設けられる。
【００７８】
スリット４１、４２、４３、４４は、取っ手３１、３２、３３、３４より、体部ファスナー７、８に近づいてもよい。逆に、取っ手３１、３２、３３、３４は、スリット４１、４２、４３、４４より、体部ファスナー７、８に近づいてもよい。スリット４１、４２、４３、４４と、取っ手３１、３２、３３、３４とは、異なる位置に設けられてよい。
【００７９】
頭部防水シート３（体部防水シート２）側の取っ手３１、３２、３３、３４または／及びスリット４１、４２、４３、４４と、頭部保温通気シート５（体部保温通気シート４）側の取っ手３１、３２、３３、３４または／及びスリット４１、４２、４３、４４とは、互いに対応する同じ位置ではなく、互いにずれた位置に設けられても良い。取っ手３１、３２、３３、３４の無い個所にスリット４１、４２、４３、４４が形成されてもよいし、スリット４１、４２、４３、４４の無い個所に取っ手３１、３２、３３、３４が形成されてもよい。
【００８０】
取っ手３１、３２、３３、３４及びスリット４１、４２、４３、４４の向きは、頭部防水シート３（体部防水シート２）及び頭部保温通気シート５（体部保温通気シート４）の長辺及び周縁に沿った平行方向ではなく、斜めになっていてもよい。この場合、二本の担架棒が左右のそれぞれの取っ手３１、３２、３３、３４を挿通し易くなり、担架としての機能も向上する。
【００８１】
図５において、スリット４１、４２、４３、４４の位置は、頭部保温通気シート５（体部保温通気シート４）側と、頭部防水シート３（体部防水シート２）側とで、一致している必要はなく、ずれていてもよい。取っ手３１、３２、３３、３４は、上記のものに限られず、リング状、つり革状、紐、バンド等、どのような形状でもよく、可撓性があれば、布以外に、樹脂、金属、木材、どのような材質でもよいし、可撓性がなくてもよい。
【００８２】
通し穴５１、５２、５３、５４は、体部ファスナー７または露出部１３まで到達していてもよいし、スリット４１、４２、４３、４４は、通し穴５１、５２、５３、５４に沿って、３つ以上形成されてもよい。この場合、この多数のスリット４１、４２、４３、４４を吊り下げバンド６１、６２、６３、６４がジグザグ状に出たり入ったりして、挿通される。これにより、取っ手３１、３２、３３、３４が不要となる。
【００８３】
通し穴５１、５２、５３、５４は、頭部防水シート３（体部防水シート２）及び頭部保温通気シート５（体部保温通気シート４）を斜めに貫通していてもよい。吊り下げバンド６１、６２、６３、６４の幅は一定ではなく、途中が太くなったり、端が太くなったりしていてもよい。これにより、吊り下げバンド６１、６２、６３、６４が通し穴５１、５２、５３、５４からぬけにくくなる。
【００８４】
吊り下げバンド６１、６２、６３、６４は、スリット４１、４２、４３、４４及び通し穴５１、５２、５３、５４を挿通せず、頭部防水シート３（体部防水シート２）表面／外面に縫合されたり、頭部保温通気シート５（体部保温通気シート４）表面／外面に縫合されたりしてもよい。また、吊り下げバンド６１、６２、６３、６４は、通し穴５１、５２、５３、５４の中で縫合固定されて、引き抜けないようにしてもよい。
【００８５】
吊り下げバンド６１、６２、６３、６４を頭部保温通気シート５（体部保温通気シート４）側に縫合すると、寝袋兼担架１を折り畳んで、上記ポケット収納部７７内に収納するときに、吊り下げバンド６１、６２、６３、６４を寝袋兼担架１内に収納できる。このような吊り下げバンド６１、６２、６３、６４の縫合範囲は、左右２つの取っ手３１、３１、３２、３２、３３、３３、３４、３４の間隔より短い。
【００８６】
上記体部防水シート２、頭部防水シート３、体部保温通気シート４、頭部保温通気シート５、吸熱再放射布２１、遠赤外線綿２２、遠赤外線布２３の内いずれか１つまたは複数が省略されても良い。この場合、寝袋兼担架１は、防水シート２、３のみ、または保温通気シート４、５のみとなったり、さらには、吸熱再放射布２１のみとなったり、遠赤外線綿２２のみとなったり、遠赤外線布２３のみとなったりする。
【００８７】
スリット４１、４２、４３、４４には、線ファスナー、面ファスナー、ボタン、チャック、フック、ホック、磁石などで、開閉自在とされてもよく、吊り下げバンド６１、６２、６３、６４が挿通されないスリット４１、４２、４３、４４は塞ぐことができる。寝袋兼担架１、頭部防水シート３（体部防水シート２）または頭部保温通気シート５（体部保温通気シート４）の一部または全部は、メッシュ状、網状、すだれ状であってもよいし、通し穴５１、５２、５３、５４の部分のみ、メッシュ状、網状、すだれ状であってもよい。
【００８８】
上記頭部防水シート３（体部防水シート２）を内側にしたときに、寝袋兼担架１に収納されて包み込まれる介護者の代わりに、障害者、遺体、死体等が収納されても良い。吊り下げバンド６１、６２、６３、６４、子バンド７１、７２、７３、７４、取っ手３１、３２、３３、３４も、頭部防水シート３（体部防水シート２）と同様に防水加工されてもよい。
【００８９】
頭部防水シート３及び頭部保温通気シート５の一部または全部は省略されて頭部のフードはなくてもよいし、吊り下げバンド６１、６２、６３、６４の一部または全部は省略されてもよいし、取っ手３１、３２、３３、３４の一部または全部は省略されてもよいし、通し穴５１、５２、５３、５４及びスリット４１、４２、４３、４４の一部または全部は省略されてもよいし、頭部防水シート３（体部防水シート２）または頭部保温通気シート５（体部保温通気シート４）の一部または全部は省略されてもよいし、体部ファスナー７、８、頭部ファスナー１０、１１の一部または全部は省略されてもよいし、露出部１３の一部または全部は省略されてもよいし、雄ホック６６…と雌ホック６７…の一部または全部は省略されてもよいし、その数が増えても減ってもよいし、その形状は任意に変更可能であり、均等の他の物に置き換えられてもよいし、これらの２つまたは３つ以上が合体または一体化されて兼用されてもよいし、材質は繊維製、軟質樹脂製のほか、硬質樹脂製、金属製、木製、紙製、ゴム製、表面に化粧紙が接着されたもの、竹製、樹脂製、ガラス製、綿製、布製、糸製、繊維製、ゴム製、紙製、セラミック製、カーボン製、ウレタン製、これらの合成物製／混合物製／多層積層物製でもよいし、他のものがさらに付加・積層・混合されてもよい。
【００９０】
（７）他の発明の効果
［１］寝袋として使用されるときには、  人体に対して一番外側に配置され、水分を透過させないまたは吸収しない、人体の正面または背面の面積より大きい防水シートと、  この防水シートと上記人体との間に配置される保温性または通気性のある、当該防水シートのほぼ全面にわたって積層された保温通気シートと、  上記人体に対して、上記防水シートの内側に取り付けられた複数の吊り下げバンドと、を備え、  担架として使用されるときには、  上記防水シートを上記人体に接する状態とし、  上記保温通気シートを、上記防水シートに対して人体とは反対側に配置される状態とし、  上記人体に対して、上記防水シートを挟んで、上記吊り下げバンドによって、当該人体を持ち上げ可能とすることを特徴とする寝袋兼担架。
【００９１】
これにより、寝袋兼担架を収納するとき、吊り下げバンドを寝袋兼担架内に容易に収納でき、収納で吊り下げバンドが邪魔にならない。
【００９２】
［２］上記人体の頭部の上記保温通気シートまたは上記防水シートの外面には可撓性のある取っ手が取り付けられており、  当該取っ手の中の幅は上記吊り下げバンドの幅より大きく、当該取っ手の中を上記吊り下げバンドが捻じれ無くまたは折れ曲がり無く挿通されることを特徴とする請求項１記載の寝袋兼担架。
【００９３】
これにより、取っ手を掴んだり、取っ手に吊り下げバンドを挿通させて、この吊り下げバンドを引き上げたりして、寝袋兼担架に乗せられた人体を安定的に運搬できるし、吊り下げバンドを捻じらないでかつ折らないで取っ手を挿通させて、人体を安定的に持ち上げることができるし、運搬の途中で吊り下げバンドが不用意に移動して運搬される人体が不安定になることがなくなる。
【００９４】
［３］上記吊り下げバンドは、上記人体の肩付近及び腰付近に取り付けられ、  この吊り下げバンドは、上記頭部の取っ手を捻じれ無くまたは折れ曲がり無く挿通して、上記人体の頭部も持ち上げ可能となることを特徴とする請求項２記載の寝袋兼担架。  これにより、人体の上半身を安定的に持ち上げることができるし、運搬の途中で吊り下げバンドが不用意に移動して運搬される人体の上半身が不安定になることがなくなる。
【００９５】
［４］上記防水シートと保温通気シートとの間には、長尺の通し穴が形成され、  この通し穴内を上記吊り下げバンドが挿通されて、吊り下げバンドの両端が防水シート及び保温通気シートから外に露出していることを特徴とする請求項３記載の寝袋兼担架。  これにより、寝袋兼担架を表向きに使っても裏返して使っても、吊り下げバンドが直接人体に当たらず、不快感がない。
【００９６】
［５］上記吊り下げバンドの両端が防水シート及び保温通気シートから外に露出する位置には、この位置を覆うように上記取っ手が取り付けられていることを特徴とする請求項４記載の寝袋兼担架。  これにより、吊り下げバンドの露出位置を、取っ手で覆って、露出位置の摩耗を防ぎ、寒気、水、雪、氷等の侵入を取ってで防ぐことができる。
【００９７】
［６］上記人体の脚部付近の上記保温通気シートまたは上記防水シートの外面には可撓性のある取っ手が取り付けられており、  上記吊り下げバンドは、この脚部の取っ手を捻じれ無くまたは折れ曲がり無く挿通して、上記人体の脚部も持ち上げ可能となることを特徴とする請求項５記載の寝袋兼担架。  これにより、人体の下半身を安定的に持ち上げることができるし、運搬の途中で吊り下げバンドが不用意に移動して運搬される人体の下半身が不安定になることがなくなる。
【００９８】
［７］上記人体の肩付近及び腰付近の上記保温通気シートまたは上記防水シートの外面であって、上記吊り下げバンドの長手方向に沿った位置には可撓性のある取っ手が取り付けられており、
上記吊り下げバンドは、この肩部及び腰部の取っ手を挿通して、上記人体の肩部及び腰部を持ち上げ可能となることを特徴とする請求項６記載の寝袋兼担架。
【００９９】
これにより、吊り下げバンドを捻じらないでかつ折らないで、肩付近の取っ手及び腰付近の取っ手を挿通させて、人体の肩部及び腰部を安定的に持ち上げることができるし、運搬の途中で吊り下げバンドが不用意に移動して運搬される人体が不安定になることがなくなる。
【０１００】
［８］上記防水シート及び保温通気シートの両端縁にはファスナーが設けられ、この両端縁のファスナーが連結されて閉じられることによって、上記人体を包みこみ、  上記人体の頭部の上に位置する、上記防水シート及び保温通気シートの両端縁にもファスナーが設けられ、この両端縁のファスナーが互いに連結されて閉じられることによって、上記人体の頭部を包み込み、  これらのファスナーが互いに開かれて上記連結が解除されると、上記防水シート及び保温通気シートは凹凸のない平坦な状態になることを特徴とすることを特徴とする請求項７記載の寝袋兼担架。
【０１０１】
これにより、寝袋兼担架を掛け布団または敷き布団としても凹凸がなく、快適な掛け布団または敷き布団にできる。
【０１０２】
［９］上記吊り下げバンドは、防水シートまたは保温通気シートの外面または内面に縫合され、この防水シートまたは保温通気シートに対する吊り下げバンドの縫合範囲は、上記左右に離間した取っ手の間隔より短いことを特徴とする請求項８記載の寝袋兼担架。これにより、取っ手内に吊り下げバンドを通したり、引き出したりでき、取っ手に対して、吊り下げバンドの位置を任意に変更できる。
【産業上の利用可能性】
【０１０３】
表面を防水シート、裏面を本通気シートとして、寝袋としても担架としても、有効に機能を発揮させる。けが人等を運ぶ時は頭部防水シート３／体部防水シート２を内側にして血液等の浸透を防ぎ、屋外で寝るときには頭部防水シート３／体部防水シート２を外側にして雪等の浸透を防ぐ。通し穴５１、５２、５３、５４内を吊り下げバンド６１、６２、６３、６４が通ってスリット４１、４２、４３、４４から露出し、取っ手３１、３２、３３、３４の下から引き出される。
【０１０４】
吊り下げバンド６１、６２、６３、６４が不要なときは、通し穴５１、５２、５３、５４からこれを引き抜く。通し穴５１、５２、５３、５４は、頭部保温通気シート５／体部保温通気シート４と頭部防水シート３／体部防水シート２との間にあるので、寝袋兼担架１をそのまま裏返しても、吊り下げバンド６１、６２、６３、６４が人体に強く当たらない。
【図面の簡単な説明】
【０１０５】
【図１】寝袋兼担架１のファスナー７、８、１０、１１を全て開いて平坦に展開した状態を示す。
【図２】寝袋兼担架１を担架として使用するときに、体部保温通気シート４及び頭部保温通気シート５を外側にして、ファスナー７、８、１０、１１を閉じて寝袋兼担架１を２つ折りにした「裏返し」の片面を示す。
【図３】寝袋兼担架１を寝袋として使用するときに、体部防水シート２及び頭部防水シート３を外側にして、寝袋兼担架１を裏返してファスナーを閉じて寝袋兼担架１を２つ折りにした「表向き」の片面を示す。
【図４】寝袋兼担架１、つまり体部防水シート２、頭部防水シート３、体部保温通気シート４、頭部保温通気シート５の断面構造を示す。
【図５】スリット４１、４２、４３、４４付近の部分拡大図を示し、頭部保温通気シート５（体部保温通気シート４）が外側になっている、寝袋兼担架１を担架として使用するときの状態を示し、スリット４１、４２、４３、４４及び通し穴５１、５２、５３、５４に対する吊り下げバンド６１、６２、６３、６４の挿通状態及び入れ替え状態も示す。
【符号の説明】
【０１０６】
１…寝袋兼担架、２…体部防水シート、
３…頭部防水シート、４…体部保温通気シート、
５…頭部保温通気シート、７…体部ファスナー、
８…体部ファスナー、１０…頭部ファスナー、
１１…頭部ファスナー、１３…露出部、
２１…吸熱再放射布、２２…遠赤外線綿、
２３…遠赤外線布、３１…頭部取っ手、
３２…肩部取っ手、３３…腰部取っ手、
３４…脚部取っ手、４１…頭部スリット、
４２…肩部スリット、４３…腰部スリット、
４４…脚部スリット、５１…頭部通し穴、
５２…肩部通し穴、５３…腰部通し穴、
５４…脚部通し穴、６１…頭部吊り下げバンド、
６２…肩部吊り下げバンド、６３…腰部吊り下げバンド、
６４…脚部吊り下げバンド、６６…雄ホック、
６７…雌ホック、７１、７２、７３、７４…子バンド、
７６…緊縮ひも、７７…ポケット収納部、
７８…手提げ紐。
【図１】
0005377571.tif 000002
【図２】
0005377571.tif 000003
【図３】
0005377571.tif 000004
【図４】
0005377571.tif 000005
【図５】
0005377571.tif 000006